(57)【要約】【課題】必要に応じて、その形態を物干し竿状に変更できる物干しハンガーを提供する。【解決手段】フック２ａを備える吊り下げ部材２と、一方端がヒンジ３を介して、吊り下げ部材に回動自在に連結される第１の斜め部材４と、一方端がヒンジ５を介して、第１の斜め部材４の他方端に回動自在に連結される水平部材６と、一方端がヒンジ７を介して、水平部材６の他方端に回動自在に連結される第２の斜め部材８を備え、第２の斜め部材８の他方端が、吊り下げ部材２に着脱自在に連結される。【選択図】図１
2019150539.tif 000002
【特許請求の範囲】
【請求項１】
フックを備える吊り下げ部材と、
一方端がヒンジを介して、前記吊り下げ部材に回動自在に連結される第１の斜め部材と、
一方端がヒンジを介して、前記第１の斜め部材の他方端に回動自在に連結される水平部材と、
一方端がヒンジを介して、前記水平部材の他方端に回動自在に連結される第２の斜め部材を備え、
前記第２の斜め部材の他方端が、前記吊り下げ部材に着脱自在に連結される、
物干しハンガー。
【請求項２】
前記第２の斜め部材と前記吊り下げ部材との連結を解除した状態において、前記第２の斜め部材の他方端に連結される延長部材を備える、
請求項１に記載の物干しハンガー。
【請求項３】
前記第２の斜め部材の他方端にプラグを、
前記延長部材の前記第２の斜め部材の他方端と対面する端部に、前記プラグが嵌合されるソケットを、それぞれ備える、
請求項２に記載の物干しハンガー。
【発明の詳細な説明】
【技術分野】
【０００１】  この発明は、物干しハンガーに関する。
【背景技術】
【０００２】  Ｔシャツ等を吊り下げて使用する物干しハンガーが良く知られている（特許文献１）。伸縮自在に構成された物干し竿も良く知られている（特許文献２）。特許文献３には、本体部に回動自在に支持された一対のアーム部を備えるハンガーが開示されている。
【先行技術文献】
【特許文献】
【０００３】
【特許文献１】特開２００７−３７８６３号公報
【特許文献２】特開平７−３０４３８８号公報
【特許文献３】特開２０１７−１６４４４１号公報
【発明の概要】
【発明が解決しようとする課題】
【０００４】  特許文献１に記載されているような、従来の物干しハンガーはハンガーとしてのみ使用されるものであって、形態を変更して、他の用途に使用することができない。特許文献３に記載のハンガーは、一対のアームを開閉することによって、ハンガーの寸法と形状を、当該ハンガーに吊り下げられる衣服に適したものに変更できるが、ハンガー以外の形態に変更することはできない。また、物干しハンガーは、Ｔシャツ等の乾燥には適しているが、タオル、ハンカチ、靴下等の小物類の乾燥には適していない。これらを吊り下げて乾燥するのには、物干し竿状の器具が、適している。そのため、物干しハンガーと物干し竿を兼用できる洗濯物吊り下げ器具が求められている。しかしながら、ハンガー状の形態と物干し竿状の形態の間で、相互に形態変更可能な洗濯物吊り下げは、現在のところ、存在しない。【０００５】  本発明は、上記の事情の下で、なされたものであり、必要に応じて、その形態を物干し竿状に変更できる物干しハンガーを提供するものである。
【課題を解決するための手段】
【０００６】  上記目的を達成するため、本発明に係る物干しハンガーは、フックを備える吊り下げ部材と、一方端がヒンジを介して、吊り下げ部材に回動自在に連結される第１の斜め部材と、一方端がヒンジを介して、第１の斜め部材の他方端に回動自在に連結される水平部材と、一方端がヒンジを介して、水平部材の他方端に回動自在に連結される第２の斜め部材を備え、第２の斜め部材の他方端が、吊り下げ部材に着脱自在に連結されるものである。【０００７】  本発明に係る物干しハンガーに、第２の斜め部材と吊り下げ部材との連結を解除した状態において、第２の斜め部材の他方端に連結される延長部材を備えるようにしても良い。【０００８】  本発明に係る物干しハンガーにおいて、第２の斜め部材の他方端にプラグを、延長部材の第２の斜め部材の他方端と対面する端部に、プラグが嵌合されるソケットを、それぞれ備えるようにしても良い。
【発明の効果】
【０００９】  本発明に係る物干しハンガーにおいては、第２の斜め部材と吊り下げ部材の連結を解除して、第１及び第２の斜め部材をそれぞれヒンジ周りに回転させて、第１及び第２の斜め部材と水平部材を直列に配置することができる。その結果、物干しハンガーの形態を物干し竿状に変換することができる。つまり、物干しハンガーを物干し竿として使用することができる。本発明に係る物干しハンガーに、第２の斜め部材に連結される延長部材を備えれば、物干し竿の長さを延長できるので、物干し竿として使い勝手が向上する。
【図面の簡単な説明】
【００１０】
【図１】本発明の実施形態に係る物干しハンガーの正面図である。
【図２】図１に示した物干しハンガーの作用を示す説明図であって、（Ａ）は物干しハンガーの正面図であり、（Ｂ）は物干しハンガーを展張した状態を示す正面図であり、（Ｃ）は展張した物干しハンガーを反転した状態を示す正面図である。
【図３】（Ａ）は、図２（Ｃ）に示した物干しハンガーに延長部材を取り付けた状態を示す正面図であり、（Ｂ）は第２の斜め部材の先端部の詳細な構成を示す正面図である。（Ｃ）は第２の斜め部材の先端部を延長部材側から見る図であり、（Ｄ）は延長部材の先端を第２の斜め部材側から見る図であり、（Ｅ）は延長部材の断面図である。
【図４】（Ａ）〜（Ｃ）は、第２の斜め部材と延長部材を結合する過程を、時系列に沿って示す説明図である。
【図５】本発明の実施形態に係る物干しハンガーの変形例を示す外形図であって、（Ａ）は物干しハンガーを通常のハンガーとして使用する状態を示す外形図であり、（Ｂ）は物干しハンガーを物干竿として使用する状態を示す外形図である。
【図６】本発明の実施形態に係る物干しハンガーの変形例を示す外形図であって、（Ａ）は物干しハンガーに延長部材を取り付ける前の状態を示す外形図であり、（Ｂ）は物干しハンガーに延長部材を取り付けた状態を示す外形図である。
【発明を実施するための形態】
【００１１】  以下、本発明の具体的な実施態様を、適宜、図を参照しながら説明する。なお、各図面においては、同一あるいは対応する構成要素に同一の符号を付して、説明を省略する場合がある。
【００１２】  図１に示すように本発明の実施形態に係る物干しハンガー１は、フック２ａを備える吊り下げ部材２と、吊り下げ部材２にヒンジ３を介して回動自在に連結された第１の斜め部材４と、第１の斜め部材４にヒンジ５を介して回動自在に連結された水平部材６と、水平部材６にヒンジ７を介して回動自在に連結された第２の斜め部材８とを備えている。第２の斜め部材８の先端には嵌合突起９が形成されている。嵌合突起９は吊り下げ部材２に形成された図示しない嵌合穴に嵌合される。嵌合突起９と嵌合穴によって、第２の斜め部材８は吊り下げ部材２に、着脱自在に連結される。また、第２の斜め部材８の先端にはプラグ１０を備えている。なお、ヒンジ３，５，７の回転軸は、図１において紙面に垂直な方向に延びている。つまり、第１及び第２の斜め部材４，８と水平部材は、紙面に垂直な回転軸回りに回動する。
【００１３】  図１に示す状態においては、第２の斜め部材８が吊り下げ部材２に連結されているので、第１の斜め部材４と水平部材６と第２の斜め部材８とを３辺とする三角形が構成される。この状態において、物干しハンガー１は、普通のハンガーとして使用できる。
【００１４】  図２（Ａ）に示すように、第１の斜め部材４の水平部材６に連結される側の端部には、当接部４ａが形成され、水平部材６の第１の斜め部材４に連結される側の端部には、被当接部６ａが形成されている。水平部材６の第２の斜め部材８に連結される側の端部には、被当接部６ｂが形成され、第２の斜め部材８の水平部材６に連結される側の端部には、当接部８ａが形成されている。
【００１５】  第２の斜め部材８と吊り下げ部材２との連結を解除して、第１の斜め部材４をヒンジ３の周りに回動させ、水平部材６をヒンジ５の周りに回動させ、第２の斜め部材８をヒンジ７の周りに回動させると、物干しハンガー１の形態を、図２（Ｂ）に示すような棒状の形態に変換することができる。この時、当接部４ａと被当接部６ａ、当接部８ａと被当接部６ｂは、それぞれ互いに当接する。
【００１６】  図２（Ｂ）に示すような棒状の形態に変換された物干しハンガー１の上下を反転して、第１の斜め部材４と第２の斜め部材８の端部で単純支持する場合を考える。つまり図２（Ｃ）に示す状態を想定する。この状態において、単純支持された物干しハンガー１のスパンの中央に、下向きの荷重Ｗを加えると、第１の斜め部材４をヒンジ５の周りに時計回りに回転させるモーメントが生じる。また、第２の斜め部材８をヒンジ７の周りに反時計回りに回転させるモーメントが生じる。しかしながら、前述したように、当接部４ａと被当接部６ａ、当接部８ａと被当接部６ｂが、それぞれ互いに当接しているので、第１の斜め部材４の時計回りの回転と、第２の斜め部材８の反時計回りの回転は、拘束される。つまり、図２（Ｃ）に示す状態において、物干しハンガー１に、下向きの荷重Ｗが加わっても、物干しハンガー１は、ヒンジ５，７周りに曲がらない。そのため、物干しハンガー１は、第１の斜め部材４と第２の斜め部材８の端部で単純支持されて、下向きの荷重を支える両持梁として機能するので、物干しハンガー１を、物干竿として使用することができる。
【００１７】  物干しハンガー１を、物干竿として使用する場合に長さが足りない場合には、図３（Ａ）に示すように、物干しハンガー１に延長部材１１を取り付けて、物干竿の長さを延ばすようにしても良い。物干しハンガー１と延長部材１１の結合は、第２の斜め部材８の先端に備えるプラグ１０と、延長部材１１に備えるソケット１２を使って行われる。プラグ１０は、図３（Ｂ），（Ｃ）に示すように、軸部１０ａと、軸部１０ａの先端に固定される抜け止め部材１０ｂとで構成されている。なお、抜け止め部材１０ｂの外径は軸部１０ａよりも大きくされている。ソケット１２は、図３（Ｄ），（Ｅ）に示すように、平面形において、鍵穴形をなしていて、開口１２ａと抜け止め溝１２ｂを備えている。そして、開口１２ａの内径はプラグ１０の抜け止め部材１０ｂの外径よりも僅かに大きくされている。抜け止め溝１２ｂの幅は、抜け止め部材１０ｂの外径よりも小さいが、軸部１０ａの外径よりも僅かに大きくされている。
【００１８】  物干しハンガー１と延長部材１１の結合は、図４（Ａ）〜（Ｃ）に示すような手順で行われる。まず、図４（Ａ），（Ｂ）に示すように、抜け止め部材１０ｂを開口１２ａに通して、ソケット１２の中に差し込む。その後、図４（Ｃ）に示すように、第２の斜め部材８を図の下方にスライドさせて、軸部１０ａを抜け止め溝１２ｂの中に入れる。以上の手順で、プラグ１０はソケット１２に嵌合され、第２の斜め部材８は延長部材１１に連結される。
【００１９】  上記の実施形態においては、物干しハンガー１に、当接部４ａ，８ａと被当接部６ａ，６ｂを備える例を示したが、物干しハンガー１は、これらを備えるものには限定されない。図５（Ａ）に示すように、これらに代えて、筒状の継手部材１３を、水平部材６にスライド自在に取り付けても良い。物干しハンガー１を物干竿として使用する場合は、図５（Ｂ）に示すように、継手部材１３をスライドさせて、第１の斜め部材４と第２の斜め部材８を継手部材１３に嵌合させると、第１の斜め部材４のヒンジ５周りの回転と、第２の斜め部材８のヒンジ７周りの回転が拘束される。そのため、物干しハンガー１を物干竿として使用する場合に、折れ曲がりが生じない。
【００２０】  上記の実施形態においては、プラグ１０をソケット１２に嵌合させて、物干しハンガー１と延長部材１１を連結する例を示したが、物干しハンガー１と延長部材１１を連結する手段は、プラグ１０とソケット１２の組には限定されない。各種の連結手段を任意に選択することができる。例えば、図６（Ａ）に示すように、延長部材１１にソケット１４を備えて、図６（Ｂ）に示すように、第２の斜め部材８をソケット１４に差し込んで、第２の斜め部材８を延長部材１１に連結するようにしても良い。
【００２１】  上記の実施形態においては、物干しハンガー１を、約１ｍの長さの物干竿に変換することができる。延長部材１１を使用すれば、物干竿の長さを２ｍ以上にすることができる。
【００２２】  以上説明したように、本発明の実施形態においては、物干しハンガー１を、通常のハンガーの形態と、物干竿と使用される形態の間で、相互に変換して使用することができる。
【００２３】  なお、本発明の技術的範囲は、上記実施形態と変形例によっては限定されない。本発明は特許請求の範囲に記載された技術的思想の限りにおいて、自由に応用、変形あるいは改良して、実施することができる。
【符号の説明】
【００２４】１  物干しハンガー
２  吊り下げ部材
２ａ  フック
３  ヒンジ
４  第１の斜め部材
４ａ  当接部
５  ヒンジ
６  水平部材
６ａ  被当接部
６ｂ  被当接部
７  ヒンジ
８  第２の斜め部材
８ａ  当接部
９  嵌合突起
１０  プラグ
１０ａ  軸部
１０ｂ  抜け止め部材
１１  延長部材
１２  ソケット
１２ａ  開口
１２ｂ  抜け止め溝
１３  継手部材
１４  ソケット
【図１】
2019150539.tif 000003
【図２】
2019150539.tif 000004
【図３】
2019150539.tif 000005
【図４】
2019150539.tif 000006
【図５】
2019150539.tif 000007
【図６】
2019150539.tif 000008
【手続補正書】
【提出日】平成30年8月3日(2018.8.3)
【手続補正１】
【補正対象書類名】特許請求の範囲
【補正対象項目名】請求項１
【補正方法】変更
【補正の内容】
【請求項１】
フックを備える吊り下げ部材と、
一方端が第１のヒンジを介して、前記吊り下げ部材に回動自在に連結される第１の斜め部材と、
一方端が第２のヒンジを介して、前記第１の斜め部材の他方端に回動自在に連結される水平部材と、
一方端が第３のヒンジを介して、前記水平部材の他方端に回動自在に連結され、他方端に嵌合突起が形成されている第２の斜め部材と、を備えるとともに、
前記吊り下げ部材は、前記嵌合突起が嵌合されて、前記第２の斜め部材を着脱自在に連結する嵌合穴を備え、
前記第２の斜め部材と前記吊り下げ部材の連結を解除して、前記第１及び第２の斜め部材を、それぞれ、前記第２及び第３のヒンジ周りに回動させて、前記第１及び第２の斜め部材と前記水平部材を直列に配置することで、物干しハンガーの形態を物干し竿状に変換することができる、
物干しハンガー。
【手続補正２】
【補正対象書類名】明細書
【補正対象項目名】０００６
【補正方法】変更
【補正の内容】
【０００６】  上記目的を達成するため、本発明に係る物干しハンガーは、フックを備える吊り下げ部材と、一方端が第１のヒンジを介して、吊り下げ部材に回動自在に連結される第１の斜め部材と、一方端が第２のヒンジを介して、第１の斜め部材の他方端に回動自在に連結される水平部材と、一方端が第３のヒンジを介して、水平部材の他方端に回動自在に連結され、他方端に嵌合突起が形成されている第２の斜め部材と、を備えるとともに、吊り下げ部材は、嵌合突起が嵌合されて、第２の斜め部材を着脱自在に連結する嵌合穴を備え、第２の斜め部材と吊り下げ部材の連結を解除して、第１及び第２の斜め部材を、それぞれ、第２及び第３のヒンジ周りに回動させて、第１及び第２の斜め部材と水平部材を直列に配置することで、物干しハンガーの形態を物干し竿状に変換することができるものである。